(57)【要約】【課題】複数の放送受信装置において同一のチャンネル設定で時間を短縮することができる技術を提供する。【解決手段】地域における放送局に割り当てられている物理チャンネルを走査して受信チャンネルを設定するチャンネル設定手段と、前記受信チャンネルに設定された前記物理チャンネルの情報を表示する表示手段と、この表示手段に表示される前記物理チャンネルの情報を入力するための設定入力手段と、この設定入力手段により入力される前記物理チャンネルの情報を設定する設定値設定手段と、を有する放送受信装置。【選択図】  図２
2012034232.tif 000002
【特許請求の範囲】
【請求項１】
地域における放送局に割り当てられている物理チャンネルを走査して受信チャンネルを設定するチャンネル設定手段と、
前記受信チャンネルに設定された前記物理チャンネルの情報を表示する表示手段と、
この表示手段に表示される前記物理チャンネルの情報を入力するための設定入力手段と、
この設定入力手段により入力される前記物理チャンネルの情報を設定する設定値設定手段と、
を有する放送受信装置。
【請求項２】
入力される前記物理チャンネルの情報は、他の放送受信装置の前記表示手段に表示されたものである請求項１に記載の放送受信装置。
【請求項３】
入力される前記物理チャンネルの情報は、各前記物理チャンネルを十進数表現したものである請求項１に記載の放送受信装置。
【請求項４】
入力される前記物理チャンネルの情報は、前記放送局を表現したものである請求項１に記載の放送受信装置。
【請求項５】
地域における放送局に割り当てられている物理チャンネルを走査して受信チャンネルを設定し、この受信チャンネルに設定された前記物理チャンネルの情報を表示する放送受信装置における放送受信方法であって、
他の前記放送受信装置に表示された前記物理チャンネルの情報を入力し、
この物理チャンネルの情報に基づいて前記受信チャンネルを設定する放送受信方法。
【発明の詳細な説明】
【技術分野】
【０００１】
本発明の実施形態は、受信チャンネルを設定する放送受信装置及び放送受信方法に関する。
【背景技術】
【０００２】
2011年の地上アナログ放送終了にともない、ホテルに設置されるTVも地上デジタル放送対応TVへの置き換えが進んでいる。ホテルに設置されるTVは一般に各部屋毎に同じ設定が要求される。
【０００３】
一方、地上デジタル放送のチャンネル設定は、受信地点における全受信可能チャンネルをサーチし、service_idに基づくサービスリスト（受信可能周波数テーブル）を作成する必要がある。つまり、受信地点に基づき視聴者居住地域を設定した後、物理チャンネル13chから62chをスキャンして、サービスリストを取得する。放送波で送られるNIT内には、remote_control_key_idを記載されており、放送事業者が望むリモコンキー番号１〜１２をTS毎に割り当てる。
【０００４】
これによって、TS毎の代表的なサービスがリモコンキーに割り付けられる。このように地上デジタル放送のチャンネル設定は物理チャンネル13chから62chをサーチが必要であり、多くのTVに同一の設定を行うホテルにおいては、この設定に多くの時間を要していた。
【０００５】
このような状況を鑑み、従来はSDメモリカードスロットのような外部記録増装置をTVに設け、1台目のTVに設定されたチャンネル設定テーブルデータを外部記録装置に介して、SDメモリカードなどの記録メディアに書き出し、同様な外部記録措置を有する２台目以降のTVへ前記チャンネル設定テーブルデータが書き込まれたSDメモリカードを接続し、このチャンネル設定テーブルデータを読み込むことにより、１台目に設定されたチャンネル設定をコピーすることにより、２台目以降のTVにおいてはチャンネルスキャンに要する時間をかけずに容易に同一のチャンネル設定を行うことができる。
【０００６】
しかしながら、このようなTVにおいては、全てのTVにSDメモリカードスロット等の外部記録装置を準備する必要があり、特に安価なTVにおいてはコスト増加となっていた。
【０００７】
チャンネルスキャンに要する時間を省くことについては、一地域を選択し、地域内の放送局に割り当てられているチャンネルについて受信チャンネルを走査して、リモコンキーの割り振り直すことにより、チャンネルスキャン時間を短縮してチャンネル番号を振り直すという工夫もあった（例えば、特許文献１参照。）。
【０００８】
しかしながら、複数の放送受信装置において同一のチャンネル設定で時間を短縮との要望があるが、かかる要望を実現するための手段は知られていない。
【先行技術文献】
【特許文献】
【０００９】
【特許文献１】特開２００６−１２１４６９号公報
【発明の概要】
【発明が解決しようとする課題】
【００１０】
本発明は、複数の放送受信装置において同一のチャンネル設定で時間を短縮することができる技術を提供することを目的とする。
【課題を解決するための手段】
【００１１】
上記課題を解決するために、実施形態によれば放送受信装置は、地域における放送局に割り当てられている物理チャンネルを走査して受信チャンネルを設定するチャンネル設定手段と、前記受信チャンネルに設定された前記物理チャンネルの情報を表示する表示手段と、この表示手段に表示される前記物理チャンネルの情報を入力するための設定入力手段と、この設定入力手段により入力される前記物理チャンネルの情報を設定する設定値設定手段とを有する。
【図面の簡単な説明】
【００１２】
【図１】この発明の一実施形態を示すホテル向けＴＶにおける設定画面の一例。
【図２】同実施形態の他の局面を示すホテル向けＴＶにおける設定画面の一例。
【図３】同実施形態に用いられる設定フローチャート。
【図４】同実施形態の例を示すテーブルの図。
【図５】同実施形態に用いられるリモコンを示す図。
【図６】同実施形態に係わるテレビ受信装置の構成を概略的に示すブロック図。
【図７】同実施形態に用いられる作成された受信可能周波数テーブルの一例。
【図８】同実施形態に用いられるテーブルの図。
【発明を実施するための形態】
【００１３】
以下、本発明の実施形態を説明する。
（第１の実施形態）
本発明による第１の実施形態を図１乃至図８を参照して説明する。
（放送受信装置の構成と動作）
まず、本発明の一実施形態であるテレビ受信装置を、図６を用いて説明する。
図６は、次に述べる図１のシステムを適用する放送受信装置の一実施形態であるデジタル放送受信装置等のテレビ受信装置の構成の一例を示すブロック図である。
このテレビ受信装置は、地上アナログ放送波、並びにＢＳ、ＣＳ及び地上デジタル放送波を受信可能であり、マイクロプロセッサ１０、デジタル用チューナ１１、アナログ用チューナ１２、デジタル用復調器１３、アナログ用復調器１４及びＴＳ復号器１５を備えている。
【００１４】
ＢＳ、ＣＳ及び地上デジタル放送波は、アンテナ１で受信され、この受信信号がデジタル用チューナ１１に供給される。同様に、地上アナログ放送波は、アンテナ１で受信され、この受信信号がアナログ用チューナ１２に供給される。デジタル用チューナ１１及びアナログ用チューナ１２は、フェーズロックドループ(ＰＬＬ)方式を採用し、マイクロプロセッサ１０の制御により中心周波数及び帯域幅等の受信パラメータを指定してそれぞれ所望の放送波を選局するために用いられる。
【００１５】
デジタル用チューナ１１で選局した放送波の受信信号は、例えば日本の地上デジタル放送の場合にＯＦＤＭ(orthogonal frequency division multiplexing)方式のデジタル用復調器１３及びＴＳ復号器１５に順次供給され、これらでデジタル映像信号及び音声信号に復調及び復号される。アナログ用チューナ１２で選局された受信信号は、アナログ用復調器１４に供給され、ここでアナログ映像信号及び音声信号に復調される。
【００１６】
このテレビ受信装置は、更に、信号処理部１６、グラフィック処理部１７、ＯＳＤ(on screen display)信号生成部１８、映像処理部１９、ディスプレイ２０、音声処理部２１、スピーカー２２、操作パネル２３、赤外線受光部２４、リモコン２５、フラッシュメモリ２６、ＵＳＢ(Universal Serial Bus)コネクタ２７、カードコネクタ２８、及びネットワーク通信回路２９を備える。信号処理部１６は、ＴＳ復号器１５からのデジタル映像信号及び音声信号に対して選択的に所定のデジタル信号処理を施し、それぞれグラフィック処理部１７及び音声処理部２１に出力する。また、信号処理部１６は、アナログ用復調器１４からのアナログ映像信号及び音声信号を選択的にデジタル化し、このデジタル化された映像信号及び音声信号に対して所定のデジタル信号処理を施し、それぞれグラフィック処理部１７及び音声処理部２１に出力する。
【００１７】
グラフィック処理部１７は、信号処理部１６から出力されたデジタル映像信号にＯＳＤ信号生成部１８で生成されたＯＳＤ信号を選択的に重畳して出力する。映像処理部１９は、グラフィック処理部１７から出力されたデジタル映像信号に対してディスプレイ２０に適合させる例えばサイズ調整等の変換を行う。ディスプレイ２０は、映像処理部１９から出力された映像信号に対応する映像を表示する。音声処理部２１は、信号処理部１６から出力されたデジタル音声信号をスピーカー２２に適合させる音量調整等の変換を行う。スピーカー２２は、音声処理部２１から出力された音声信号に対応する音声を再生する。
【００１８】
マイクロプロセッサ１０は、操作パネル２３からの操作情報、またはリモコン２５から送出され赤外線受光部２４で受信された操作情報を受けて、その操作内容が反映されるように各コンポーネントを制御する。ここで、操作パネル或いはキーボード２３及びリモコン２５は、ユーザーインタフェースとして機能する操作モジュールに相当している。図６に示すように、マイクロプロセッサ１０は、様々な処理及び制御を行うＣＰＵ(central processing unit）３１、このＣＰＵ３１の制御プログラム及び様々な初期データを保持するＲＯＭ(read only memory）３２、ＣＰＵ３１の入出力情報を一時的に格納する作業エリアを提供するＲＡＭ(random access memory）３３、Ｉ２Ｃバス等を介して各コンポーネントに対する設定情報及び制御情報を入出力するインタフェース３４、及び放送波やネットワーク経由で取得される時刻情報及び日付情報に従って補正される時計回路３５を含んでいる。
【００１９】
ＵＳＢコネクタ２７は、様々なＵＳＢ機器を接続するために設けられている。カードコネクタ２８は、様々なメディアカードを接続するために設けられている。また、ネットワーク通信回路２９は、インターネットに直接あるいはＬＡＮ(local area network)経由で接続されている。時刻情報を放送波から取得する場合は、アンテナ１で受信した信号から、また時刻情報等基礎データをネットワークから取得する場合は、ネットワーク通信回路２９から、それぞれマイクロプロセッサ１０に取り込まれる。
【００２０】
またＵＳＢコネクタ２７やカードコネクタ２８は、外部からＵＳＢ機器（メモリ等）やメディアカードを接続して動画、写真、音楽データを読み出すことができる。
マイクロプロセッサ１０は、ＵＳＢコネクタ２７に接続されるＵＳＢメモリやカードコネクタ２８に接続されるメディアカードにファイルとして保持される映像を取り込み、信号処理部１６、グラフィック処理部１７、及び映像処理部１９での処理を経て各映像をディスプレイ２０に表示させる制御を行えるように構成されている。
【００２１】
なおＵＳＢ(Universal Serial Bus)コネクタ２７、カードコネクタ２８などは、全てのテレビ受信装置に備えられているものではない。
さて2011年の地上アナログ放送終了にともない、ホテルに設置されるTVも地上デジタル放送対応TVへの置き換えが進んでいる。ホテルに設置されるTVは各部屋毎に同じ設定が要求される。一方、地上デジタル放送のチャンネル設定は、受信地点における全受信可能チャンネルをサーチし、service_idに基づくサービスリスト（受信可能周波数テーブル）を作成する必要がある。
【００２２】
つまり、受信地点に基づき視聴者居住地域を設定した後、物理チャンネル13chから62chをスキャンして、サービスリストを取得する。放送波で送られるNIT内には、remote_control_key_idを記載されており、放送事業者が望むリモコンキー番号１〜１２をTS毎に割り当てる。これによって、TS毎の代表的なサービスがリモコンキーに割り付けられる。このように地上デジタル放送のチャンネル設定は物理チャンネル13chから62chをサーチが必要であり、多くのTVに同一の設定を行うホテルにおいては、この設定に多くの時間を要していた。
【００２３】
このような状況を鑑み、従来はSDメモリカードスロットのような外部記録増装置をTVに設け、1台目のTVに設定されたチャンネル設定テーブルデータを外部記録装置に介して、SDメモリカードなどの記録メディアに書き出し、同様な外部記録措置を有する２台目以降のTVへ前記チャンネル設定テーブルデータが書き込まれたSDメモリカードを接続し、このチャンネル設定テーブルデータを読み込むことにより、１台目に設定されたチャンネル設定をコピーすることにより、２台目以降のTVにおいてはチャンネルスキャンに要する時間をかけずに容易に同一のチャンネル設定を行うことができる。しかしながら、このようなTVにおいては、全てのTVにSDメモリカードスロット等の外部記録装置を準備する必要があり、特に安価なTVにおいてはコスト増加となっていた。
【００２４】
〈実施形態の要点の説明〉
図１、図２は本実施形態におけるホテル向けＴＶにおける設定画面の一例である。
ホテルに設置する１台目のTVにおいては、受信地点における全受信可能なチャンネルをスキャンし、受信可能周波数テーブルが作成される。ここまでは一般市販のテレビで行う初期スキャンと同じ操作になる。
【００２５】
図７は作成された受信可能周波数テーブルの一例であり、UHF帯で放送される地上デジタル放送の場合、13chから62chのいずれかが、ARIB-TR-B14規格に基づきチャンネルキー１から１２のいずれかに設定される。通常ＴＶにはホテルでの使用を考慮して、特殊な操作によりホテルモード設定メニューが実装されている。
【００２６】
このホテルモード設定メニューにおいて、図７のような受信可能周波数テーブルに基づき、図１のような、これらのチャンネル情報を羅列したチャンネル情報表示画面２０を設ける。受信可能周波数テーブル表示という設定名称の下に、図１においては、図７のチャンネルキー番号に設定された選局物理チャンネルに対応した１から１２に示す2桁の数字が、各チャンネルキー１から１２に対応し左から順に表示される。ここで例えば３に示される数字０はチャンネルキー３に物理チャンネルが割り当てられていないことを表す。チャンネル情報表示画面２０の下部には操作説明欄として[決定]で終了との表示がある。次に述べるリモコンＲ（２５）のボタンの説明である。
【００２７】
次に２台目以降のTVにおいてはホテルモード設定メニューから図２に示したチャンネル情報入力画面を表示させ、図1で得られた数字を図５に示すリモコンＲの選局キー８０ａによって入力する。
【００２８】
図２は、入力しているチャンネル情報に関するチャンネル情報表示画面３０である。こんどは受信可能周波数テーブル入力という設定名称の下に、入力中の物理チャンネルが、各チャンネルキー１から１２に対応し左から順に表示される。
【００２９】
入力する数字は図１に示された順番にしたがって左から順に入力し、入力される数字に伴ってカーソル１４は自動的に右側に移動するまた、入力された数字を間違った場合は戻るボタン８０ｃにより１つ前へカーソル１４を戻すことが可能となっている。下部の操作説明欄の説明のように全ての数字を入力後、決定ボタン８０ｂ押下により設定される。
【００３０】
なお、入力する数字が０（ここではリモコンＲの１０を使用）の場合は、そのチャンネルキーには物理チャンネルは設定されない。そして決定ボタン80b押下後、入力された物理チャンネルだけをスキャンし、選局に必要なservice_idやnetwork_id等を取得し、リモコンキー番号、選局周波数とともに関連付けられてTV内のNVRAM（フラッシュメモリ２６）へ図４に示されるようなテーブルとして記憶される。
【００３１】
図３はこれらの設定を説明した設定フローチャートである。まず1台目のTVにおいて初期スキャンを実施し、図７のような設置地域における受信可能周波数テーブルが作成される。（ステップS100）
【００３２】
次に前記設定された受信可能周波数テーブルに基づき、１台目のTVにおいて、TVが実装しているホテル設定メニューからチャンネル番号と１２ポジションのリモコンチャンネルキーに関連付けた数字を表示するチャンネル情報表示画面２０を表示させる。（ステップS101）
【００３３】
1台目と同じチャンネル設定を行う２台目のTVにおいて1台目のチャンネル情報表示画面２０に表示された数値を入力する画面を表示し、その画面において前記ステップS101で表示された数字どおりにリ図５のモコンの0から９キーである８０ａにより数字を入力する。全ての数字の入力完了後に決定キーを押下するとステップS103に進む。
【００３４】
決定キー押下とともに、前記ステップS102で入力された数字に該当する物理チャンネルだけをスキャンする。（ステップS103）
スキャンした物理チャンネルより選局に必要なservice_idとnetwork_idの情報を取得する。（ステップS104）
前記ステップS104で得られたservice_idとnetwork_idの情報をリモコンキー番号と選局物理周波数に関連付けてTV内のNVRAMに図４に示すようなテーブルとして記憶する。なお、物理チャンネルと物理選局周波数は、元々初期スキャンを実行する場合に必要であり、図８に示すようなテーブルをTV内で持っており、これを使用すれば容易に関連付けが可能である。これにより１台目に設定されたチャンネル設定と同じ設定が２台目以降のTVへも容易に設定可能となる。
【００３５】
つまり、通常のチャンネル設定では全ての物理チャンネルをスキャンする必要があるが、この方法によれば多くても９個程度の物理周波数だけをスキャンすればよく、スキャンにかかる時間が大幅に短縮される。また、本設定においては、通常のTVに付属されているリモコンだけで設定が可能であり、従来例のように外部記録装置も不要であり、コストの増加もない。
【００３６】
（第２の実施形態）
本発明による第２の実施形態を図１乃至図８を参照して説明する。第１の実施形態と共通する部分は説明を省略する。
図１においては、テーブルの数値の並びが「東京タワー」局からの放送と一致しているので唯一の候補として括弧書きで示しているようにこの局を表示して覚えておいてもよい。
【００３７】
図２では、局の一覧を画面にボタンで表示してリモコンＲの移動ボタン（十字キー８０ｄ）と決定ボタンにより上記覚えられた局を選んでもよい。また、第１の実施形態との併用で例えば初めの数値２７を入力した時点で、関東広域圏で局は例えばあと「八王子」と「新島」との計３つに絞られるのでこの３個だけを候補として括弧書きで示しているようにボタンで表示してリモコンＲで選択するような形態も可能である。その場合は図１においても候補が限定されていく様子を表示するのが好適である。
【００３８】
従来は、ホテルにおいて各々の部屋のＴＶを同一のチャンネルに設定するには、1台毎に初期スキャンを行う必要があり、多くに時間を要していたが、上記の方法によれば多くても９個程度の物理周波数だけをスキャンすればよく、スキャンにかかる時間が大幅に短縮される。また、本設定においては、本体の操作パネル２３など以外では通常のTVに付属されているリモコンだけで設定が可能であり、従来例のように外部記録装置も不要であり、コストの増加もない。
【００３９】
上記のように実施形態の概要として、ホテルに設置する１台目のTVで、受信地点での全受信可能なチャンネルをスキャンし、受信可能周波数テーブルを作成し、２台目以降のTVではホテルモード設定メニューから受信周波数テーブル入力画面を表示させてリモコンで設定し、入力された物理チャンネルだけをスキャンし、選局に必要なservice_idやnetwork_id等を取得し、リモコンキー番号、選局周波数とともに関連付けてテーブルとしてTV内のNVRAMに記憶する。
【００４０】
〈実施形態のポイント〉
ホテルに設置する１台目のTVにおいては、受信地点における全受信可能なチャンネルをスキャンし、受信可能周波数テーブルが作成される。図７は作成された受信可能周波数テーブルの一例である。UHF帯で放送される地上デジタル放送の場合、13chから62chのいずれかが、チャンネルキー１から１２のいずれかに設定される。ホテルモード設定用に設けられたメニューにおいて、以下の手順をふむ。
【００４１】
（１）  図７のような受信可能周波数テーブルに基づき、図１に示すようなチャンネル設定情報画面2０を画面を設ける。
（２）  次に２台目以降のTVにおいてはホテルモード設定メニューから図２に示す受信周波数テーブル入力画面を表示させる。
（３）  図1で得られた数字を図５に示すリモコンの選局キー８０ａによって入力し、決定ボタン８０ｂにより設定する。
（４）  入力する数字が０の場合は、そのチャンネルキーには放送局が設定されていないことを示す。
（５）  そして決定ボタン８０ｂ押下後、入力された物理チャンネルだけをスキャンし、選局に必要なservice_idやnetwork_id等を取得し、リモコンキー番号、選局周波数とともに関連付けられて図４に示すようなテーブルとしてTV内のNVRAMに記憶される。
【００４２】
従来は、ホテルおいて各々の部屋のＴＶを同一のチャンネル設定にするには、1台毎に初期スキャンを行う必要があり、多くに時間を要していたが、この方法によれば多くても９個程度の物理周波数だけをスキャンすればよく、スキャンにかかる時間が大幅に短縮される。また、本設定においては、通常のTVに付属されているリモコンだけで設定が可能であり、従来例のように外部記録装置も不要であり、コストの増加もない。
【００４３】
効果として特殊な機器を使用せず、ＴＶに付属しているリモコンをだけで設定可能なため、ホテルにＴＶ設置後でも容易に設定可能である。また、設定にはリモコンの０〜９の数字ボタンだけの操作であり、ホテルの方等、一般の人でも容易に設定可能である。
【００４４】
なお、この発明は上記実施形態に限定されるものではなく、この外その要旨を逸脱しない範囲で種々変形して実施することができる。第１の実施形態から更に２台目以降で必要な数値列を情報圧縮により１〜８文字程度に絞りメモ書きのし易さや入力の容易さを高めてもよい。例えばハッシュ関数等の援用による。また文字を覚えやすいものに変換してもよい。例えば動物名で「ねこ」「いぬ」などである。第２の実施形態で「ねこ」のボタンを選択すると、対応する元の数値列に装置内で逆変換（逆引き）するように構成しておけばよい。
【００４５】
また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係わる構成要素を適宜組み合わせても良いものである。
【符号の説明】
【００４６】
１０…マイクロプロセッサ、１６…信号処理部、１７…グラフィック処理部、１８…ＯＳＤ信号生成部、１９…映像処理部、２０…ディスプレイ、２３…操作パネル、２４…赤外線受光部、２５，Ｒ…リモコン、２６…フラッシュメモリ、２７…ＵＳＢコネクタ、２８…カードコネクタ、２９…ネットワーク通信回路、８０ａ…選局キー、８０ｂ…決定キー、８０ｃ…戻るキー、８０ｄ…十字キー。
【図１】
2012034232.tif 000003
【図２】
2012034232.tif 000004
【図３】
2012034232.tif 000005
【図４】
2012034232.tif 000006
【図５】
2012034232.tif 000007
【図６】
2012034232.tif 000008
【図７】
2012034232.tif 000009
【図８】
2012034232.tif 000010